(57)【特許請求の範囲】
【請求項１】
上ボビンに取り付けられるヨークの一端面と、下ボビンに取り付けられるヨークの一端面との間に遊技球発射用の磁力発生用のギャップが形成される遊技球発射装置において、上ボビンと下ボビンとが一体物のボビンとして形成されているとともに、上記両ヨークが差し込み固定されるボビンは、ヨークの差し込み量規定部を備えていることを特徴とする遊技球発射装置。
【請求項２】
ボビンはヨークが差し込まれる差し込み孔内面にヨーク固定用のリブを備えていることを特徴とする請求項１記載の遊技球発射装置。
【請求項３】
リブは差し込み孔内面の対向面に夫々設けられていることを特徴とする請求項２記載の遊技球発射装置。
【請求項４】
ボビンは遊技球の発射ガイド用のレールの圧入固定溝を備えていることを特徴とする請求項１〜３のいずれかの項に記載の遊技球発射装置。
【発明の詳細な説明】
【０００１】
【発明の属する技術分野】
本発明は遊技機における遊技球の発射装置、殊に電磁式非接触型発射装置に関するものである。
【０００２】
【従来の技術】
遊技球が磁性体である場合、遊技球を発射する発射装置として電磁式非接触型のものがある。これは図６に示すように、夫々コイルが巻回されている上部ボビン１１と下部ボビン１２とを対向させるとともに、これらボビン１１，１２に夫々一端が挿入されているヨーク２１，２２の他端同士を固定板２０で連結し、対向しているヨーク２１，２２の一端間をギャップとして、ボビン１１，１２のコイルに電流を供給してギャップ間に磁力を発生させることで、レール３上に供給された遊技球４を吸引して発射するものである。
【０００３】
このものでは、図７に示すように、ボビン１１，１２間にギャップ調整用のゲージ５を介在させた状態で、各ヨーク２１，２２をボビン１１，１２に組み付けるとともにヨーク２１，２２の各一端をゲージ５に当接させることで、ギャップ寸法Ｇを調整し、この状態でヨーク２１，２２同士を固定板２０で連結していた。また、ヨーク２１，２２同士の連結及びボビン１２へのレール３の固定はビスを用いて行っていた。
【０００４】
【発明が解決しようとする課題】
ギャップ寸法Ｇを調整しながら組み立てる必要があり、組立に手間がかかる上に、該調整を行わずに組み立てた場合はギャップ寸法Ｇがばらついて所要の性能を得ることができない。
【０００５】
本発明はこのような点に鑑みなされたものであって、その目的とするところは調整不要でありながら所要の性能を確保することができる遊技球発射装置を提供するにあり、他の目的とするところは組立作業を簡便に行うことができる遊技球発射装置を提供するにある。
【０００６】
【課題を解決するための手段】
しかして本発明は、上ボビンに取り付けられるヨークの一端面と、下ボビンに取り付けられるヨークの一端面との間に遊技球発射用の磁力発生用のギャップが形成される遊技球発射装置において、上ボビンと下ボビンとが一体物のボビンとして形成されているとともに、上記両ヨークが差し込み固定されるボビンは、ヨークの差し込み量規定部を備えていることに特徴を有している。一対のヨークをボビンに差し込めば、差し込み量規定部によってヨークの端面間のギャップが所定寸法に保たれるものである。
【０００７】
この時、ボビンはヨークが差し込まれる差し込み孔内面にヨーク固定用のリブを備えていることが好ましい。ヨークの固定を圧入で行うことができる。
【０００８】
また、上記リブは差し込み孔内面の対向面に夫々設けられていることが好ましい。ヨークの厚み誤差が大きくとも、ボビンセンター位置にヨークを固定することができる。
【０００９】
さらに、ボビンは遊技球の発射ガイド用のレールの圧入固定溝を備えていることが望ましい。レールの取付もビス等を使用することなく行うことができる。
【００１０】
【発明の実施の形態】
以下本発明を実施の形態の一例に基づいて詳述すると、この遊技球発射装置は上ボビン１１と下ボビン１２及び一対のヨーク２１，２２、そしてレール３で構成されているが、ここにおける上ボビン１１と下ボビン１２とは一つのボビン１として成形された一体物となっている。また、該ボビン１は、その上ボビン１１の上端面１７と下ボビン１２の下端面１７との間の寸法が所要の精度となるように成形されている。
【００１１】
また、図３に示すようにボビン１における上ボビン１１におけるヨーク差し込み孔１３と、下ボビン１２におけるヨーク差し込み孔１３との内面には複数本のヨーク固定用のリブ１４が設けられている。これらリブ１４は図４に示すようにヨーク２１，２２の差し込み方向において奥になるほど背が高くなるように形成されており、ヨーク２１，２２の各一端をこれら差し込み孔１３，１３に差し込むだけでヨーク２１，２２のボビン１への固定を行うことができるようになっている。
【００１２】
さらにボビン１にはヨーク２１，２２の各他端が両端から差し込まれる固定孔１８が設けられているとともに、該固定孔１８の内面には両端開口側で背が低く且つ中央部で最も背が高くなる複数本の固定用リブ１５が設けられており、従ってヨーク２１，２２の他端側も固定孔１８に差し込むだけでリブ１５によってボビン１に固定されるようになっている。
【００１３】
また、リブ１４，１５は差し込み孔１３及び固定孔１８の内面でヨーク２１，２２の厚み方向における対向位置に夫々設けていることから、積層構造であるヨーク２１，２２の厚み寸法のばらつきが大きくとも、ヨーク２１，２２はボビン１２のセンター位置に圧入固定されることになる。
【００１４】
そして、これらヨーク２１，２２は、ボビン１への組み付け時、その折り返し部の側面２７がボビン１１，１２の端面１７，１７に当接することでボビン１への位置決めがなされてギャップ寸法Ｇが定められる。つまり、ヨーク２１，２２の両端を差し込み孔１３及び固定孔１８に差し込んでボビン１に組み付ける時、上記側面２７が端面１７に当接するまで差し込めば、ギャップ寸法Ｇの精度が確保されると同時に、リブ１４，１５によるボビン１への固定がなされるものである。
【００１５】
また、ボビン１へのレール３の組み付けも、図５に示すように、ボビン１がレール取付溝１６を備えていることから、ボビン１の遊技球発射用開口部からレール３を差し込んでレール３の両側縁をレール取付溝１６に挿入すれば、レール取付溝１６の内面に付設されたリブ１９によってレール３の固定がなされるようになっている。
【００１６】
なお、ボビン１におけるヨーク２１，２２の位置決めを端面１７で行ったものを示したが、差し込み孔１３の内面などに位置決め突起を設けたものであってもよく、図示例に限定されるものではない。また、ヨーク２１，２２の固定のための部材も図示の形状のリブ１４，１５に限定されるものではない。
【００１７】
【発明の効果】
以上のように本発明においては、上ボビンと下ボビンとを一体物のボビンとして形成している上に、一対のヨークをボビンに差し込めば、差し込み量規定部によってヨークの端面間のギャップが所定寸法に保たれるものであり、部品数が少なくなっている上に調整も不要なものであり、製造コストを大きく下げることができる。
【００１８】
また、ボビンはヨークが差し込まれる差し込み孔内面にヨーク固定用のリブを備えていると、ヨークの固定を圧入で行うことができるものであり、さらに組立作業が簡便なものとなる。
【００１９】
また、上記リブは差し込み孔内面の対向面に夫々設けられていると、ヨークの厚み誤差が大きくとも、ボビンセンター位置にヨークを固定することができる。
【００２０】
さらに、ボビンが遊技球の発射ガイド用のレールの圧入固定溝を備えていると、ールの取り付けもビス等を使用することなく行うことができるものであり、特にヨーク間に発生した遊技球発射用磁力線の妨げとなるような金属製のビスを無くすことができるために、遊技球発射に関する方向性や速度についてばらつきの無い安定した性能のものを得ることができる。
【図面の簡単な説明】
【図１】本発明の実施の形態の一例の分解側面図である。
【図２】同上の側面図である。
【図３】同上の分解斜視図である。
【図４】同上の部分斜視図である。
【図５】  (a)は同上のボビンの正面図、(b)は拡大図である。
【図６】従来例の側面図である。
【図７】同上の分解側面図である。
【符号の説明】
１  ボビン
１１  上ボビン
１２  下ボビン
２１  ヨーク
２２  ヨーク
Ｇ  ギャップ寸法
【図１】
0004134555.tif 000002
【図２】
0004134555.tif 000003
【図３】
0004134555.tif 000004
【図４】
0004134555.tif 000005
【図５】
0004134555.tif 000006
【図６】
0004134555.tif 000007
【図７】
0004134555.tif 000008